(57)【要約】      （修正有）【課題】繰り返し梱包作業に使用でき、梱包した遊技機を外から確認することができ、汚れにくく、雨、水濡れに強い、使用限度が超えた後はリサイクルすることができる遊技機搬送用の梱包箱を提供する。【解決手段】組み立てた状態において、上部２、底部３、左側面部６１、６２、６３、６４、右側面部７１、７２，７３，７４、前面部４及び後面部５を有する略直方体の箱状をなす遊技機搬送用の梱包箱１であって、上部、底部、左側面部、右側面部、前面部及び後面部はプラスチック段ボールで形成され、前面部及び／又は後面部には切欠きにより窓部４１、５１が形成され、窓部が形成された前面部及び／又は後面部の内側には、少なくとも窓部より大きな透明なプラスチック板５２が取り付けられている遊技機搬送用の梱包箱。【選択図】図１
2016013851.tif 000002
【特許請求の範囲】
【請求項１】
組み立てた状態において、上部、底部、左側面部、右側面部、前面部及び後面部を有する略直方体の箱状をなす遊技機搬送用の梱包箱であって、
前記上部、底部、左側面部、右側面部、前面部及び後面部はプラスチック段ボールで形成され、
前記前面部及び／又は前記後面部には切欠きにより窓部が形成され、
前記窓部が形成された前面部及び／又は前記後面部の内側には、少なくとも前記窓部より大きな透明なプラスチック板が取り付けられていることを特徴とする遊技機搬送用の梱包箱。
【請求項２】
前記透明なプラスチック板が、上端部は前記上部に当接し、下端部は前記底部に当接する長さを有する略長方形であることを特徴とする請求項１に記載の遊技機搬送用の梱包箱。
【請求項３】
前記透明なプラスチック板が、前記窓部が形成された前面部及び／又は前記後面部と略同一形状であることを特徴とする請求項１又は２に記載の遊技機搬送用の梱包箱。
【請求項４】
前記左側面部が、前記上部に対して折り曲げ可能な第１左側面部、前記底部に対して折り曲げ可能な第２左側面部、前記前面部に対して折り曲げ可能な第３左側面部、前記後面部に対して折り曲げ可能な第４左側面部を含み、前記右側面部が、前記上部に対して折り曲げ可能な第１右側面部、前記底部に対して折り曲げ可能な第２右側面部、前記前面部に対して折り曲げ可能な第３右側面部、前記後面部に対して折り曲げ可能な第４右側面部を含むことを特徴とする請求項１〜３の何れか一項に記載の遊技機搬送用の梱包箱。
【請求項５】
前記上部には遊技機の上端部をガイドする上部ガイド部が形成され、前記底部には遊技機の底部をガイドする底部ガイド部が形成されていることを特徴とする請求項１〜４の何れか一項に記載の遊技機搬送用の梱包箱。
【請求項６】
前記底部及び／又は前記第２左側面部及び／又は前記第２右側面部に低摩擦シートが貼着してあることを特徴とする請求項１〜５の何れか一項に記載の遊技機搬送用の梱包箱。
【請求項７】
前記上部と前記前面部、前記上部と前記後面部、前記底部と前記前面部及び前記底部と前記後面部が折り曲げ可能に形成されていることを特徴とする請求項１〜６の何れか一項に記載の遊技機搬送用の梱包箱。
【発明の詳細な説明】
【技術分野】
【０００１】
本発明は、遊技機搬送用の梱包箱に関し、特に、遊技機の搬送に繰り返し利用することができ、梱包した状態で遊技機の遊技盤製造番号、遊技盤の枠番号、主基板管理番号及び梱包されている遊技機の種類・状態の確認をすることができ、並びに、使用期限が過ぎた後はリサイクルすることができる遊技機搬送用の梱包箱に関する。
【背景技術】
【０００２】
パチンコ、スロットマシン等の遊技機は、生産工場で生産されたのち、例えば一台ずつ段ボール箱に梱包してパチンコ店などの遊技場に搬送される。その際、遊技機が破損しないように、緩衝材を用いて段ボール箱に詰めるのが一般的である。また、遊技機は、早ければ２〜３か月程度で新しい台への入れ替えが行われるため、遊技場から他の遊技場への搬送、又は、遊技場から中古遊技機の取り扱い業者に搬送して一時保管後に次の遊技場への搬送等が頻繁に行われ、その都度、段ボール箱で梱包作業が行われている。
【０００３】
ところで、遊技機は非常に重く、また、液晶パネルや制御回路基板などの精密機器が組み込まれていたり、ガラス板が嵌め込まれているものもあるので、僅かな力が加わっただけで破損してしまうことがあり、搬送中の破損トラブルが絶えないという問題がある。当該問題を解決するためには、緩衝材を十分に使用して丁寧に梱包をする必要があるが、梱包作業に手間がかかるという問題がある。
【０００４】
また、紙製の段ボール箱を用いて梱包した場合、開梱した後の梱包箱や緩衝材を廃棄処分する必要がある。遊技機の年間搬送回数は６００〜７００万回程度といわれており、これらの搬送に用いられた梱包箱や緩衝材を廃棄処分にすることは、環境に優しくないという問題がある。更に、遊技機は一台で２５〜４０ｋｇ程度の重量がある。そのため、紙製の段ボールを用いて遊技機を梱包し、遊技場から中古遊技機の取り扱い業者に搬送して一時保管する場合、紙製段ボールの強度の問題から、遊技機を梱包した状態で縦積みにすることができず、保管時のスペース効率が悪いという問題がある。
【０００５】
更に、遊技機を搬送した場所で設置する際には、遊技機の遊技盤製造番号、遊技盤の枠番号、主基板管理番号、封印シール番号（以下、単に「番号」と記載することがある。）が正しいか否か、更には、搬送した遊技機が破損していないか否かの点検が必要であるが、上記のとおり、搬送中にトラブルがあると、一度開梱した遊技機を再度梱包して持ち帰る必要があり、手間がかかるという問題がある。
【０００６】
遊技機の梱包箱としては、内部に収納部を有するプラスチック段ボールで構成された外箱と収納部に遊技機を固定して収納する収納補助部材を備えた搬送容器が知られている（特許文献１参照）。しかしながら、上記特許文献１に記載されている外箱はリサイクルすることはできるが、上方から遊技機を挿入するため、使い勝手が悪く、更に、梱包箱の外側から番号や遊技機の点検をすることが難しいという問題がある。
【０００７】
また、重量のある遊技機を梱包し易くするために、底板と天板に遊技機を案内するガイドを設け、梱包箱の横方向から遊技機を挿入して梱包できる梱包箱も知られている。しかしながら、上記特許文献２に記載されている梱包箱はリサイクルすることはできず、また、梱包箱の外側から番号や遊技機の点検をすることが難しいという問題がある。
【先行技術文献】
【特許文献】
【０００８】
【特許文献１】特開２０１０−１３２３５２号公報
【特許文献２】特開２００９−２４１９３３号公報
【発明の概要】
【発明が解決しようとする課題】
【０００９】
本発明は、上記問題点を解決するためになされたものであり、鋭意研究を行ったところ、遊技機搬送用の梱包箱をプラスチック段ボールで構成することで、（１）紙段ボール箱より耐久性があることから繰り返し梱包作業に使用できること、（２）紙段ボール箱より強度があることから窓部を形成することができ、遊技機を梱包した状態で番号や遊技機の状態を確認できること、（３）使用限度を超えた場合は、遊技機搬送用の梱包箱を解砕、融解してリサイクルできること、を新たに見出した。
【００１０】
すなわち、本発明の目的は、繰り返し梱包作業に使用でき、梱包した遊技機を外から確認することができ、使用限度が超えた後はリサイクルすることができる遊技機搬送用の梱包箱を提供することにある。
【課題を解決するための手段】
【００１１】
本発明は、以下に示す、遊技機搬送用の梱包箱に関する。
【００１２】
（１）組み立てた状態において、上部、底部、左側面部、右側面部、前面部及び後面部を有する略直方体の箱状をなす遊技機搬送用の梱包箱であって、
前記上部、底部、左側面部、右側面部、前面部及び後面部はプラスチック段ボールで形成され、
前記前面部及び／又は前記後面部には切欠きにより窓部が形成され、
前記窓部が形成された前面部及び／又は前記後面部の内側には、少なくとも前記窓部より大きな透明なプラスチック板が取り付けられていることを特徴とする遊技機搬送用の梱包箱。
（２）前記透明なプラスチック板が、上端部は前記上部に当接し、下端部は前記底部に当接する長さを有する略長方形であることを特徴とする上記（１）に記載の遊技機搬送用の梱包箱。
（３）前記透明なプラスチック板が、前記窓部が形成された前面部及び／又は前記後面部と略同一形状であることを特徴とする上記（１）又は（２）に記載の遊技機搬送用の梱包箱。
（４）前記左側面部が、前記上部に対して折り曲げ可能な第１左側面部、前記底部に対して折り曲げ可能な第２左側面部、前記前面部に対して折り曲げ可能な第３左側面部、前記後面部に対して折り曲げ可能な第４左側面部を含み、前記右側面部が、前記上部に対して折り曲げ可能な第１右側面部、前記底部に対して折り曲げ可能な第２右側面部、前記前面部に対して折り曲げ可能な第３右側面部、前記後面部に対して折り曲げ可能な第４右側面部を含むことを特徴とする上記（１）〜（３）の何れか一に記載の遊技機搬送用の梱包箱。
（５）前記上部には遊技機の上端部をガイドする上部ガイド部が形成され、前記底部には遊技機の底部をガイドする底部ガイド部が形成されていることを特徴とする上記（１）〜（４）の何れか一に記載の遊技機搬送用の梱包箱。
（６）前記底部及び／又は前記第２左側面部及び／又は前記第２右側面部に低摩擦シートが貼着してあることを特徴とする上記（１）〜（５）の何れか一に記載の遊技機搬送用の梱包箱。
（７）前記上部と前記前面部、前記上部と前記後面部、前記底部と前記前面部及び前記底部と前記後面部が折り曲げ可能に形成されていることを特徴とする上記（１）〜（６）の何れか一に記載の遊技機搬送用の梱包箱。
【発明の効果】
【００１３】
本発明の遊技機搬送用の梱包箱（以下、単に「梱包箱」と記載することがある。）は、強度のあるプラスチック段ボールで形成されているので、梱包箱に窓部を設けることができる。したがって、遊技機を梱包した状態で番号や遊技機の機種・状態を確認することができる。
【００１４】
プラスチック段ボールは耐久性があることから、繰り返し梱包作業に使用でき、また、縦積みができることから、効率的に保管することができる。そして、使用限度を超えた場合は、梱包箱自体を解砕、融解してリサイクルできることから、環境保護にも貢献できる。
【００１５】
また、梱包箱の底部、底部に対して折り曲げ可能な側面部に低摩擦シートを貼着すると、遊技機を梱包箱の横方向から簡単に挿入・梱包することができ、梱包作業効率を大幅に改善することができる。
【図面の簡単な説明】
【００１６】
【図１】図１は、図１は、本発明の梱包箱１を開梱した状態の斜視図である。
【図２】図２は、図面代用写真で、図２（１）は、実施例で作製した梱包箱１の側面部を開放した外観写真で、図２（２）は遊技機を梱包箱１に横方向から挿入した状態の写真である。
【図３】図３は、図面代用写真で、図３（１）は前面部４からの写真、図３（２）は後面部５からの写真である。
【発明を実施するための形態】
【００１７】
以下に、本発明の遊技機搬送用の梱包箱について、図面を参照して説明する。
【００１８】
図１は、本発明の梱包箱１の開梱した状態の斜視図である。梱包箱１は、上部２、底部３、左側面部、右側面部、前面部４、後面部５を少なくとも含み、何れもプラスチック段ボールで形成されている。プラスチック段ボールは、構造的には、ハニカム板、中空構造版、中空積層板などの公知の構造のものを使用すればよいが、強度、重量等から、新開発の宇部日東ツインコーン構造のものが好ましい。また、プラスチック段ボールの材料は、ポリプロピレン、ポリエチレン、ポリカーボネート等が挙げられるが、特に制限はない。また、プラスチック段ボールの厚さは、搬送する遊技機の重さ、保管時の縦積み個数等を考慮して、所期の強度が得られる厚さとなるように、適宜調整すればよい。梱包箱１をプラスチック段ボールで作製することで、繰り返し使用できる他、雨、水濡れ等にも強くすることができる。
【００１９】
前面部４には、プラスチック段ボールに切欠きを設けることで形成した窓部４１が形成され、後面部５にも、プラスチック段ボールに切欠きを設けることで形成した窓部５１が形成されている。パチンコ台を梱包する場合は、パチンコ台の前面のガラスを通して機種等の確認をし、また、パチンコ台の裏面に記載されている番号や配線等の確認を行う必要があることから、前面部４及び後面部５の両方に窓部を形成することが望ましい。一方、パチスロを梱包する場合は、パチスロ台の前面側のみで機種情報や番号を確認できるので、窓部は前面部４又は後面部５の何れかに形成すればよいが、勿論、両方に設けてもよい。
【００２０】
窓部４１、５１の大きさ、個数に特に制限は無いが、前面部４、後面部５に占める窓部４１、５１の割合が大きくなり過ぎると、梱包箱の強度が落ちる。したがって、機種情報や番号等、梱包箱の外側から確認したい情報が得られる範囲で、窓部４１、５１の大きさ、形状及び個数を適宜調整すればよい。例えば、パチンコ台を梱包する場合、パチンコ台の前面に関してはセル版及び色の確認ができればよいので、窓部は比較的小さくてもよい。一方、パチンコ台の後面は、メーカーにより枠番号、基盤番号等の添付位置が異なる。したがって、メーカー毎に梱包箱１を変える場合は、パチンコ台の後面の番号等を確認できる位置に窓部を形成すればよい。また、どのメーカーでも対応できるようにする場合は、各メーカーの番号等を確認できる位置に窓部を形成すればよい。つまり、パチンコ台を梱包した際に、パチンコ台の前面側と対向する梱包箱１の前面部４又は後面部５の窓部を、パチンコ台の後面側に対向する前面部４又は後面部５の窓部より小さい及び／又は個数を少なくしてもよい。その場合、梱包箱１に、パチンコ台の挿入方向が常に同じになるように、例えば、上部２にパチンコ台の前面又は後面の挿入方向について印刷等をしておけばよい。
【００２１】
窓部４１、５１が形成された前面部４、後面部５の内側には、少なくとも前記窓部４１、５１より大きな透明なプラスチック板５２が取り付けられている。なお、図１の前面部４の梱包箱１の内側にも図示しない透明なプラスチック板４２が取り付けられている。透明なプラスチック板４２、５２を前面部４、後面部５の内側に取り付けることで、搬送作業中及び梱包箱１を折りたたんで保管する際に透明なプラスチック板４２、５２に傷が付きにくく、梱包箱１を梱包作業に複数回使用しても、外側から、梱包した遊技機の機種、破損の有無、番号等を確認することができる。
【００２２】
透明なプラスチック板４２、５２の材料は、ポリカーボネート、ポリスチレン、ポリプロピレン、ポリエチレン、ポリ塩化ビニル等が挙げられるが、使用限度を超えた後、解砕・溶融してリサイクルに回すためには、プラスチック段ボールと同じ材料で形成することが望ましい。なお、違う材料で形成した場合は、リサイクル前に、透明なプラスチック板４２、５２をプラスチック段ボールから剥して、別々にリサイクルに回せばよい。透明なプラスチック板４２、５２は、接着剤、熱融着、プラスチック段ボール及び／又は透明なプラスチック板４２、５２と同じ材料で作製したリベット等の手段を用いて、前面部４、後面部５に取り付ければよい。
【００２３】
上記のとおり、透明なプラスチック板４２、５２は、少なくとも窓部４１、５１より大きければよいが、透明なプラスチック板４２、５２の縦方向の長さが、前面部４、後面部５の縦方向と同じ長さとすることが好ましい。縦方向の長さを同じにした透明なプラスチック板４２、５２を前面部４及び後面部５の内側に取り付けることで、透明なプラスチック板４２、５２の上端部及び下端部は、それぞれ、梱包箱１の上部２及び底部３に当接することができる。したがって、前面部４、後面部５に加え、透明なプラスチック板４２、５２も縦方向の荷重を支えることができるので、遊技機を梱包した梱包箱１を縦積みする場合に特に有効である。より大きな荷重を支えるためには、透明なプラスチック板４２、５２を前面部４、後面部５と略同一形状として、上部２及び底部３との当接部分を多くすればよい。また、透明なプラスチック板４２、５２の厚さも、所期の強度となるように、適宜調整すればよい。
【００２４】
中古遊技機を搬送する場合、全日本遊技事業協同組合指定のビニール袋に中古遊技機を包装して検査済みシールを貼付した後は、遊技機には触れないルールとなっているが、現状では、保管中によりビニール袋が破損してしまう等の問題が発生することがある。本発明の梱包箱１に、ビニール袋で包装した検査済み中古遊技機を梱包しておくことで、保管中に中古遊技機に直接触れる必要がなくなるのでビニール袋の破損を防止することができ、更に、窓部を通じて、検査済みの中古遊技機であるのか否かも確認することができるので、保管時の利便性を格段に向上することができる。
【００２５】
左側面部は、上部２に対して折り曲げ可能な第１左側面部６１、底部３に対して折り曲げ可能な第２左側面部６２、前面部４に対して折り曲げ可能な第３左側面部６３、後面部５に対して折り曲げ可能な第４左側面部６４を含んでいる。また、右側面部は、上部２に対して折り曲げ可能な第１右側面部７１、底部３に対して折り曲げ可能な第２右側面部７２、前面部４に対して折り曲げ可能な第３右側面部７３、後面部５に対して折り曲げ可能な第４右側面部７４を含んでいる。図１に示す例では、遊技機を梱包した後に、第１左側面部６１及び第２左側面部６２を折り曲げ、次に、第３左側面部６３を折り曲げ、最後に、第４左側面部６４を折り曲げればよい。右側面部も同様に折り曲げればよい。
【００２６】
第１左側面部６１、第２左側面部６２、第３左側面部６３、第４左側面部６４の大きさは、折り曲げて左側面部を形成できれば特に制限は無いが、縦方向荷重に対する強度を向上するために、第１左側面部６１、第２左側面部６２、第３左側面部６３、第４左側面部６４の大きさは、左側面の開口部と同じ大きさとしてもよい。また、梱包作業時の利便性向上のため、第１左側面部６１及び第２左側面部６２については開口部の大きさより小さくしてもよい。例えば、折り曲げた時の開口部の高さの半分の長さとし、折り曲げた時に第１左側面部６１及び第２左側面部６２の双方の端部が当接するようにしてもよい。
【００２７】
第３左側面部６３及び第４左側面部６４には、遊技機を梱包した際に、第３左側面部６３及び第４左側面部６４が開かないようにするための係止部材６５が設けられている。係止部材６５は、第３左側面部６３及び第４左側面部６４を閉じた状態にできればよく、例えば、凹凸の嵌合型係止具、面ファスナー等が挙げられる。例えば、面ファスナーを構成するフック及びループの一方を第３左側面部６３に貼り付け、他方を第４左側面部６４に貼り付ければよい。
【００２８】
また、第３左側面部６３及び第４左側面部６４には、作業員の梱包箱操作の利便性向上のための把手６６を設けてもよい。把手６６は、第３左側面部６３及び第４左側面部６４に単に切欠きを設けることで形成してもよいし、切欠きの周囲にプラスチック製の枠を嵌めてもよいし、切欠きにプクラスチック製の把手を嵌めこんでもよい。
【００２９】
上記に左側面部の構成について説明したが、第１右側面部７１、第２右側面部７２、第３右側面部７３及び第４右側面部７４についても、左側面部と同様の大きさにし、また、係止部材７５と把手７６を形成すればよい。
【００３０】
底部３には、一対のガイド部材からなる底部ガイド部３１を形成してもよい。一対のガイド部材の間隔を遊技機の底部の幅より１〜１０ｍｍ程度広めにし、ガイド部材３１の第２左側面側の端部をテーパー状に形成することで、遊技機を横方向からスライドして梱包箱１に挿入・梱包する際の遊技機の位置決めを容易にし、且つ搬送中には梱包箱１内での遊技機の位置ずれを防止できる。低部ガイド部３１は、梱包箱１を構成するプラスチック段ボールをガイド部材の形状となるように切断し、必要に応じて積層して形成すればよい。また、プラスチック段ボールではなく、棒状のプラスチックで形成してもよい。図１に示す底部ガイド部３１のテーパーは一方のみに形成されているが、本発明の梱包箱１を左右どちらからでも遊技機を挿入する場合は、底部ガイド部３１の両端部にテーパーを形成してもよい。
【００３１】
なお、図１には図示をしていないが、上部２にも、遊技機の上部の幅より１〜１０ｍｍ程度広めにした上部ガイド部を形成してもよい。上部ガイド部の形状、材料は、底部ガイド部３１と同じでよい。
【００３２】
また、遊技機の挿入・梱包作業をより効率化するために、底部３及び／又は第２左側面部６２に低摩擦シート８を貼着してもよい。低摩擦シート８を貼着することで、遊技機を挿入する際の滑りが良くなることから、より少ない力で梱包箱１に遊技機を入れることができる。低摩擦シート８は、図１に示すように底部ガイド部３１を設ける場合は、少なくとも一対のガイド部材の間及び第２左側面部６２の延長線上に形成すればよいが、例えば、第２左側面部６２上で遊技機の方向転換等する場合には、第２左側面部６２の延長線上以外の部分まで、例えば、第２左側面部６２の全体まで拡張して貼着してもよい。底部ガイド部３１を設けない場合は、例えば、底部２の全面に低摩擦シート８を貼着してもよい。また、右側面部から遊技機を挿入することがある場合は、第２右側面部７２にも低摩擦シート８を貼着してもよい。低摩擦シート８は市販のものを使用すればよく、例えば、ニトリルゴムシート、シリコンゴムシート、テフロン（登録商標）シート、フッ素系樹脂シート、不織布等が挙げられる。
【００３３】
本発明の梱包箱１は、折り曲げることで、上部２、底部３、前面部４及び後面部５を形成することができ、更に、第１左側面部６１、第２左側面部６２、第３左側面部６３、第４左側面部６４、第１右側面部７１、第２右側面部７２、第３右側面部７３、第４右側面部７４を形成するための切込みが形成されているプラスチック段ボールを組み立てて製造すればよい。なお、上部２は、上面の強度を増すため、前面部４と折り曲げられて形成されている部分と後面部５と折り曲げられて形成されている部分とを重ね合わせて上部２とすることが望ましい。重ね合わせ部分は、接着剤を用いて接着、及び／又は重ね合わせた端部分を熱溶着２１することで接着してもよい。
【００３４】
本発明の梱包箱１は、上記のとおり、一枚のプラスチック段ボールを折り曲げて上部２、底部３、前面部４、後面部５を形成している。したがって、梱包箱１の使用後は、例えば、上部２と前面部４及び底部３と後面部５の折り曲げ部分を伸ばし、上部２と後面部５及び前面部４と底部３を折り畳むことで、フラット状にすることができるので、次の梱包に用いるまでの梱包箱１の保管スペースを節約することができる。
【００３５】
以下に実施例を掲げ、本発明を具体的に説明するが、この実施例は単に本発明の説明のため、その具体的な態様の参考のために提供されているものである。これらの例示は本発明の特定の具体的な態様を説明するためのものであるが、本願で開示する発明の範囲を限定したり、あるいは制限することを表すものではない。
【実施例】
【００３６】
厚さ約５ｍｍポリプロピレン製のプラスチック段ボールに、第１左側面部６１、第２左側面部６２、第３左側面部６３、第４左側面部６４、第１右側面部７１、第２右側面部７２、第３右側面部７３、第４右側面部７４を形成するための切込みを形成した。また、上部２（上部２は２枚重ねて形成）、底部３、前面部４及び後面部５を形成する部分を折り曲げ、更に、前面部４中央部分に、縦１３．５ｃｍ、横１４．５ｃｍ、隣との間隔が約３ｃｍである窓部を４個形成した。また、後面部５の中央部にも、縦２４ｃｍ、横８．５ｃｍ、隣との間隔が約３ｃｍである窓部を４個形成した。更に、第３左側面部６３及び第４左側面部６４に把手６６の切込み、及び第３右側面部７３及び第４右側面部７４に把手７６の切込みを形成した。次いで、上部２を形成する部分を２枚重ね、端部を熱溶着した。透明なプラスチック板４２、５２は、厚さ約２ｍｍのポリ塩化ビニルで、前面部４及び後面部５とほぼ同じ大きさに形成したものを、ポリプロピレン製のリベットを用いて前面部４及び後面部５に取り付けた。底部ガイド部３１は、上記のプラスチック段ボールを、幅が約６．５ｃｍで先端をテーパー状にカットした略長方形状に切断し、間隔が約１１．５ｃｍとなるように接着剤で貼着した。上部２にも、間隔が約１２ｃｍとなるように上部ガイド部を形成した。底部ガイド部３１の間、及び第２左側面部６２の底部ガイド部３１の延長部分に、低摩擦シート８（電気化学工業（株）社製；ＤＸフィルム透明タイプ  ＤＸ−１０Ｓ単層グレード）を接着剤で貼着した。また、マジックテープ（登録商標）を、第３左側面部６３及び第４左側面部６４、及び第３右側面部７３及び第４右側面部７４に接着剤で貼着した。最後に、第４左側面部６４及び第４右側面部７４にプラスチック製の把手を嵌めこみ、本発明の梱包箱１を作製した。
【００３７】
図２（１）は、実施例で作製した梱包箱１の側面部を開放した外観の写真で、図２（２）は遊技機を梱包箱１に横方向から挿入した状態の写真である。図３（１）は前面部４からの写真、図３（２）は後面部５からの写真である。図３に示すように、遊技機を梱包した状態で、前面部４からは遊技機の種類やガラス面等の破損の有無、後面部５からは番号や配線状態の確認をすることができた。また、２つの遊技機を縦積みしても、梱包箱１に大きな変形等は見られなかった。
【産業上の利用可能性】
【００３８】
本発明の遊技機搬送用の梱包箱を用いると、遊技機の搬送に繰り返し使用することができ、また、プラスチック段ボールは強度があるため、遊技機を梱包した状態で番号や遊技機の状態を確認できる。更に、使用限度を超えた場合は、解砕、融解してリサイクルすることができる。したがって、本発明の遊技機搬送用の梱包箱は、環境保護にも大きく貢献することができ、遊技機の搬送分野において有用である。
【図１】
2016013851.tif 000003
【図２】
2016013851.tif 000004
【図３】
2016013851.tif 000005